(57)【要約】【課題】画像処理装置の画像処理機能を装置によって診断する技術を提供する。【解決手段】テストチャート選択部２２０は、テストチャート管理部２３０によって管理される複数のテストチャートデータの中から複合機１００に適したテストチャートデータを選択する。指示書生成部２４０は、画質診断サーバ２００によって複合機１００の画像処理機能を診断する際に、複合機１００によって実行開始される指示書を生成する。そして、複合機１００が指示書に従ってテストチャートデータを画像処理することによって得られる診断対象データを画質診断サーバ２００へ送信する。画質診断部２５０は、複合機１００から送信される診断対象データに基づいて複合機１００の画像処理機能を診断する。その診断結果は、診断結果管理部２６０によって管理される。【選択図】図１
2007088664.tif 000002
【特許請求の範囲】
【請求項１】
画像処理装置の画像処理機能を診断する画質診断装置であって、
画像処理装置へ送信するためのテストチャートデータを選択するテストチャート選択部と、
送信されたテストチャートデータを画像処理装置が画像処理することによって得られる診断対象データを画質診断装置へ送信させるための指示書を生成する指示書生成部と、
を有する、
ことを特徴とする画質診断装置。
【請求項２】
請求項１に記載の画質診断装置において、
前記指示書には、画像処理装置を所定の診断モードで画像処理させるためのモード設定情報が含まれる、
ことを特徴とする画質診断装置。
【請求項３】
請求項１に記載の画質診断装置において、
前記診断対象データは、テストチャートデータを画像処理装置が印刷処理することによって得られるテストチャートをさらにその画像処理装置がスキャン処理することによって得られるスキャンデータであり、
前記指示書には、画像処理装置を所定の診断モードでスキャン処理させるためのスキャンパラメータが含まれる、
ことを特徴とする画質診断装置。
【請求項４】
請求項３に記載の画質診断装置において、
画像処理装置から送信されるスキャンデータに基づいて画像処理装置の画像処理機能を診断する画質診断部をさらに有し、
前記指示書生成部は、画質診断部によって調整が必要であると診断された画像処理装置の画質調整パラメータについて、その画質調整パラメータを調整するための指示書を生成する、
ことを特徴とする画質診断装置。
【請求項５】
請求項１に記載の画質診断装置において、
前記テストチャート選択部は、画像処理装置から送信される機種情報に基づいて、その画像処理装置に適したテストチャートデータを選択する、
ことを特徴とする画質診断装置。
【請求項６】
請求項５に記載の画質診断装置において、
画像処理装置から送信される診断対象データに基づいて画像処理装置の画像処理機能を診断する画質診断部と、
画質診断部による診断結果の履歴を管理する診断結果管理部と、
をさらに有し、
前記テストチャート選択部は、診断結果管理部によって管理された過去の診断結果に基づいて、画像処理装置の装置状態に応じたテストチャートデータを選択する、
ことを特徴とする画質診断装置。
【請求項７】
画像処理装置の画像処理機能を診断する画質診断装置としてコンピュータを機能させるためのプログラムであって、
コンピュータに、
画像処理装置へ送信するためのテストチャートデータを選択するテストチャート選択ステップと、
送信されたテストチャートデータを画像処理装置が画像処理することによって得られる診断対象データを当該コンピュータへ送信させるための指示書を生成する指示書生成ステップと、
を実行させる、
ことを特徴とするプログラム。
【発明の詳細な説明】
【技術分野】
【０００１】
本発明は、画像処理装置の画像処理機能を診断する技術に関する。
【背景技術】
【０００２】
近年、パーソナルコンピュータ（ＰＣ）やデジタルカメラなどのデジタルデータの利用拡大により、ＰＣで作成した文書やデジタルカメラで撮影した画像などをプリントするためのプリンタの需要が拡大し、これに伴って種々のプリンタが提案されている。中でも近年では、プリンタ機能に加えてコピー機能、スキャナ機能、及びファックス機能などの多くの機能を兼ね揃えた複合機が提案されている。
【発明の開示】
【発明が解決しようとする課題】
【０００３】
複合機は、複数のユーザにより共用されるのが一般的であり、例えば、オフィス内や店頭に設置され、多量な文書や画像を取り扱うことが珍しくない。このように多量な文書や画像を取り扱いながら、高品質な画像処理機能を維持するために、複合機は、定期的にメンテナンスされる必要がある。
【０００４】
ところが、複合機のメンテナンス、例えばスキャン機能やプリント機能の画質の調整作業は極めて難しい。このため、複合機の画質の調整作業は、専門的技術と知識を有する保守作業者によって行われていた。例えば、複合機メーカの社員である保守作業者あるいは複合機メーカから委託された保守作業者が、複合機が設置されているオフィスや店頭に定期的に赴いてメンテナンスを行っていた。
【０００５】
このように、従来の複合機のメンテナンスは、保守作業者を定期的に派遣する必要があり、多大な人的工数を要していた。特に、複合機の機能が多様になり、機種ごとに調整方法などが異なる場合には、保守作業者によるメンテナンス作業も複雑になり、保守作業者に対する負担も軽視できない。こうした状況のもと、複合機などの画像処理装置に関するメンテナンスの一部自動化、望ましくは完全な自動化が期待されていた。
【０００６】
本発明は、このような背景において成されたものであり、その目的は、画像処理装置の画像処理機能を装置によって診断する技術を提供することにある。
【課題を解決するための手段】
【０００７】
上記目的を達成するために、本発明の好適な態様である画質診断装置は、画像処理装置の画像処理機能を診断する画質診断装置であって、画像処理装置へ送信するためのテストチャートデータを選択するテストチャート選択部と、送信されたテストチャートデータを画像処理装置が画像処理することによって得られる診断対象データを画質診断装置へ送信させるための指示書を生成する指示書生成部と、を有することを特徴とする。
【０００８】
上記構成では、指示書に従って、テストチャートデータが画像処理装置によって画像処理され、さらに画像処理によって得られた診断対象データが画質診断装置へ送信される。このため、画質診断装置は、診断対象データに基づいて、画像処理装置の画像処理機能を診断することができる。例えば、送信したテストチャートデータとそのテストチャートデータから得られた診断対象データとを比較することにより、画像処理装置の画像処理機能を診断することができる。
【０００９】
望ましい態様において、前記指示書には、画像処理装置を所定の診断モードで画像処理させるためのモード設定情報が含まれることを特徴とする。望ましい態様において、前記診断対象データは、テストチャートデータを画像処理装置が印刷処理することによって得られるテストチャートをさらにその画像処理装置がスキャン処理することによって得られるスキャンデータであり、前記指示書には、画像処理装置を所定の診断モードでスキャン処理させるためのスキャンパラメータが含まれる、ことを特徴とする。
【００１０】
望ましい態様において、前記画質診断装置は、画像処理装置から送信されるスキャンデータに基づいて画像処理装置の画像処理機能を診断する画質診断部をさらに有し、前記指示書生成部は、画質診断部によって調整が必要であると診断された画像処理装置の画質調整パラメータについて、その画質調整パラメータを調整するための指示書を生成する、ことを特徴とする。
【００１１】
望ましい態様において、前記テストチャート選択部は、画像処理装置から送信される機種情報に基づいて、その画像処理装置に適したテストチャートデータを選択することを特徴とする。望ましい態様において、前記画質診断装置は、画像処理装置から送信される診断対象データに基づいて画像処理装置の画像処理機能を診断する画質診断部と、画質診断部による診断結果の履歴を管理する診断結果管理部と、をさらに有し、前記テストチャート選択部は、診断結果管理部によって管理された過去の診断結果に基づいて、画像処理装置の装置状態に応じたテストチャートデータを選択する、ことを特徴とする。
【００１２】
また上記目的を達成するために、本発明の好適な態様であるプログラムは、画像処理装置の画像処理機能を診断する画質診断装置としてコンピュータを機能させるためのプログラムであって、コンピュータに、画像処理装置へ送信するためのテストチャートデータを選択するテストチャート選択ステップと、送信されたテストチャートデータを画像処理装置が画像処理することによって得られる診断対象データを当該コンピュータへ送信させるための指示書を生成する指示書生成ステップと、を実行させることを特徴とする。
【００１３】
上記構成のプログラムは、例えば、ネットワークを介して提供されてもよいし、光ディスクなどの記憶媒体に記憶されて提供されてもよい。また、上記構成のプログラムは、複数のプログラムに分割された形態であってもよい。例えば、本体となるプログラムが先に提供され、後に機能の一部を追加する追加プログラムが提供される形態でもよい。
【発明の効果】
【００１４】
本発明により、画像処理装置の画像処理機能を画質診断装置によって診断することが可能になる。
【発明を実施するための最良の形態】
【００１５】
以下、本発明の好適な実施形態を図面に基づいて説明する。
【００１６】
図１には、本発明の好適な実施形態が示されており、図１は、本発明に係る画像処理機能診断システムの全体構成図である。図１のシステムは、複合機１００と画質診断サーバ２００とジョブ処理サーバ３００，３０２が、互いにネットワーク４００を介して接続されたシステムである。ネットワーク４００の代表例はインターネットであるが他の公衆ネットワークなどでもよい。またネットワーク４００内にＬＡＮが含まれてもよい。
【００１７】
複合機１００は、スキャナ、プリンタ、複写機、ファクシミリ等の機能のうちの少なくとも一部を備えた装置である。図１には、複合機１００内部の機能構成の一部が示されている。複合機１００は、スキャナ、プリンタ、複写機、ファクシミリ等の機能を実現するためのハードウェア構成に加えて、ＣＰＵ、メモリ、操作入力装置などのハードウェア構成を備えている。そして、それらハードウェア構成がそれらを制御するソフトウェアと協働することによって、図１に示すＵＩ（ユーザインターフェース）部１１０、指示書解析部１２０の各機能が実現される。例えば主としてＣＰＵとメモリとによって、指示書解析部１２０の機能が実現され、また、例えば液晶タッチパネルやテンキーボタンや各種制御ボタンなどの操作入力装置を利用して、ＵＩ部１１０の機能が実現される。
【００１８】
本実施形態のシステムでは、複合機１００が、複数のジョブ処理サーバ３００，３０２に対して、適切な処理フローに従って処理を依頼することで、それら個々のサーバが提供するサービスを連携した連携サービスを実現する。連携サービスは、指示書に基づいて実現される。
【００１９】
指示書には、単位ジョブの定義が含まれている。単位ジョブの定義は、例えば、その単位ジョブを実行するサーバのサーバ名や、そのサーバに対して当該単位ジョブを指定するためのメソッド名（すなわちサーバとメソッドを指定することで単位ジョブが特定される）、さらに、そのメソッドに与える処理パラメータなどを含んでいる。そして、指示書には、単位ジョブの定義が、それら各単位ジョブの実行順序に応じた順番で配列される。指示書は、例えばＸＭＬで記述することができ、ユーザの指示に応じて複合機１００で作成することができる。また、図示しない指示書管理サーバによって管理される複数の指示書の中から、ユーザが所望の指示書を検索して、検索の結果として得られた指示書を利用してもよい。
【００２０】
連携サービスを依頼する際、複合機１００の指示書解析部１２０は、連携処理の指示書に従って、ジョブ処理サーバ３００，３０２の各サーバに対して、単位ジョブの実行を要求する。その結果、処理対象となる対象データが次々に各サーバに転送され、そして、各サーバによって対象データに対してジョブ処理が実行される。連携処理の結果として得られた対象データは、例えば、複合機１００に返送され、ユーザがその対象データを利用する。
【００２１】
連携処理の対象となる対象データは、例えば、文書データや画像データなどである。また、各サーバで実行されるジョブ処理としては、例えば、文字の読み取り処理、画像の拡大縮小処理、画像の解像度変換処理などの様々な処理を挙げることができる。なお、サーバ間で転送される対象データに対して、必要に応じて、公開鍵などによる暗号化処理が施されてもよい。
【００２２】
このように、本実施形態のシステムでは、複合機１００が、ジョブ処理サーバ３００，３０２に対して、適切な処理フローに従って処理を依頼することで、それら個々のサーバが提供するサービスを連携した連携サービスが実現される。そして、本実施形態のシステムでは、この連携サービスの一態様として、複合機１００の画像処理機能を画質診断サーバ２００によって診断する態様が実現される。
【００２３】
図１には、画質診断サーバ２００内部の機能構成の一部が示されている。画質診断サーバ２００は、ＣＰＵ、メモリ、ハードディスクなどの図示しないハードウェア構成を備えている。そして、それらハードウェア構成を画質診断サーバ（画質診断装置）として機能させるためのソフトウェア（プログラム）とハードウェア構成とが協働することによって、図１に示すＵＩ画面形成部２１０、テストチャート選択部２２０、テストチャート管理部２３０、指示書生成部２４０、画質診断部２５０、診断結果管理部２６０の各機能が実現される。例えば主としてＣＰＵとメモリとによって、ＵＩ画面形成部２１０、テストチャート選択部２２０、指示書生成部２４０、画質診断部２５０の各機能が実現され、また、例えばハードディスク内部の記憶領域を利用して、テストチャート管理部２３０や診断結果管理部２６０の機能が実現される。
【００２４】
画質診断サーバ２００内部のＵＩ画面形成部２１０は、画質診断サーバ２００によって複合機１００の画像処理機能を診断する際に、複合機１００に表示されるユーザインターフェース（ＵＩ）画面を提供する。つまり、ＵＩ画面形成部２１０によって形成されたＵＩ画面データが、ユーザの要求に応じて複合機１００に提供され、そして、複合機１００の液晶タッチパネルなどに、ＵＩ画面データに対応したＵＩ画面が表示される。
【００２５】
ＵＩ画面形成部２１０によって形成されるＵＩ画面データは、例えば、ＨＴＭＬで記述される。そして、ＨＴＭＬで記述されたＵＩ画面データが、ユーザの要求に応じて複合機１００のＵＩ部１１０によって読み出され、さらにＵＩ部１１０が有するブラウザ機能によってＵＩ画面データの内容が解釈され、複合機１００の液晶タッチパネルなどにＵＩ画面が表示される。なお、ＵＩ画面形成部２１０によって形成されて複合機１００に表示される各種ＵＩ画面例は、後に図３に示される。
【００２６】
テストチャート選択部２２０は、テストチャート管理部２３０によって管理される複数のテストチャートデータの中から複合機１００に適したテストチャートデータを選択する。テストチャートデータは、複合機１００のプリント処理やスキャン処理における画質などを診断するためのものであり、テストチャートデータが複合機１００に送信されて、複合機１００がそのテストチャートデータを印刷出力して、テストチャート（印刷物）が得られる。テストチャートは、例えば、解像度を診断するチャートや色ずれを診断するチャートなどである。テストチャート管理部２３０には、複合機１００の機種や診断内容に応じた複数のテストチャートデータが管理されている。例えば、ハードディスク内の記憶領域に複数のテストチャートデータを記憶させておき、テストチャート選択部２２０の要求に応じて、要求されたテストチャートデータが読み出される。
【００２７】
指示書生成部２４０は、画質診断サーバ２００によって複合機１００の画像処理機能を診断する際に、複合機１００によって実行開始される指示書を生成する。また、画質診断部２５０は、複合機１００から送信される診断対象データに基づいて複合機１００の画像処理機能を診断する。そして、その診断結果は、診断結果管理部２６０によって管理される。例えば、ハードディスク内の記憶領域に診断結果が記憶され、必要に応じて過去の診断結果が参照される。
【００２８】
なお、画質診断サーバ２００内部の機能の一部が他の装置に形成されてもよい。例えば、テストチャート管理部２３０や診断結果管理部２６０が外部サーバに設けられ、画質診断サーバ２００がネットワーク４００を介して外部サーバにアクセスして、テストチャート管理部２３０や診断結果管理部２６０の機能を利用する形態でもよい。
【００２９】
次に、図１のシステムにおける複合機１００の画像処理機能の診断手順について説明する。なお、既に図１に示した部分については、以下においても図１の符号を利用して説明する。
【００３０】
図２は、図１のシステムにおける複合機１００の画像処理機能の診断手順を示すフローチャートである。なお、図２のフローチャートを説明するにあたり図３を併用する。図３は、ＵＩ画面形成部２１０によって形成されて複合機１００に表示される各種ＵＩ画面を示している。以下、必要に応じて図３を参照して、図２のフローチャートの各ステップごとにその処理内容を説明する。
【００３１】
Ｓ２００では、複合機１００に表示されるサービス選択画面から画質診断サーバ２００が選択される。つまり、図３（Ａ）のサービス選択画面が複合機１００の液晶タッチパネルなどに表示され、サービス選択画面に表示される複数のサービス提供サーバの中から、ユーザによって画質診断サーバが選択される。
【００３２】
Ｓ２０２では、選択された画質診断サーバ２００が画質診断のための初期画面を複合機１００に提供する。つまり、画質診断サーバ２００のＵＩ画面形成部２１０で形成される初期画面データが画質診断サーバ２００から複合機１００に提供される。そして、その初期画面データに対応した図３（Ｂ）の初期画面が複合機１００に表示される。
【００３３】
Ｓ２０４では、複合機１００に表示される初期画面から画質診断の開始が指示される。つまり、図３（Ｂ）の初期画面が複合機１００の液晶タッチパネルなどに表示され、ユーザによって、画質診断開始の「ＧＯ」ボタンが操作される。画質診断開始の指示は、複合機１００の機種情報と共に、画質診断サーバ２００へ送信される。
【００３４】
Ｓ２０６では、診断開始を指示された画質診断サーバ２００が機種情報に応じてテストチャートデータを選択する。つまり、画質診断サーバ２００のテストチャート選択部２２０が、テストチャート管理部２３０によって管理される複数のテストチャートデータの中から、機種情報に応じて、複合機１００に適したテストチャートデータを選択する。複合機１００には、例えば、カラー画像処理が可能な機種や白黒画像のみを扱う機種などがある。つまり、複合機１００は、機種に応じて取り扱う画像処理内容が異なる場合がある。このため、テストチャート選択部２２０は、複合機１００から送信された機種情報に基づいて、その複合機１００が、例えばカラー画像に対応した機種であるか否かを判断し、カラー画像に対応した機種であれば、カラー画像の診断に利用されるテストチャートを含んだテストチャートデータを選択する。
【００３５】
Ｓ２０８では、選択されたテストチャートデータが複合機１００へ送信される。その際テストチャートデータを印刷出力すべき旨を複合機１００に要求する。例えば、テストチャートデータを印刷すべき旨をＵＩ画面に表示させてもよい。そしてＳ２１０では、複合機１００がテストチャートデータを印刷出力して、テストチャート（印刷物）を準備しておく。
【００３６】
Ｓ２１２では、画質診断サーバ２００が診断用の指示書を生成し、その診断用の指示書を複合機１００へ送信する。さらに、その指示書を実行開始させる旨を表示したスキャン指示画面を提供する。診断用の指示書は指示書生成部２４０によって生成される。診断用の指示書には、複合機１００によって印刷されたテストチャートを複合機１００にスキャン処理させる指示や、スキャン処理によって得られるスキャンデータを画質診断サーバ２００へ送信させる指示が記述される。また、スキャン処理における複合機１００のモード設定情報も記述される。
【００３７】
図４は、指示書生成部２４０によって生成される診断用指示書の一例を示している。前述したように指示書には、単位ジョブの定義がそれら各単位ジョブの実行順序に応じた順番で配列される。図４に示す診断用指示書では、スキャン処理に関する定義（＜スキャン＞〜＜／スキャン＞）と、連携サービス呼び出しに関する定義（＜連携サービス呼び出し＞〜＜／連携サービス呼び出し＞）が記述されている。
【００３８】
スキャン処理に関する定義には、スキャン処理に関するパラメータも記述されている。つまり、図４の例では、解像度を６００ｄｐｉに設定し、さらに、カラーモードをフルカラーモードに設定する指示が記述されている。このように、スキャン処理に関するパラメータを設定することにより、画質診断の際に、複合機１００を所定の診断用のモードに設定変更して、スキャン処理させることが可能になる。
【００３９】
また、連携サービス呼び出しに関する定義にも、連携サービス呼び出しに関するパラメータが設定される。例えば、ＵＲＬとして画質診断サーバ２００のＵＲＬが記述されることにより、連携サービスとして画質診断サーバ２００が呼び出される。さらに、診断用指示書には、スキャン処理によって得られたスキャンデータを画質診断サーバ２００へ送信し、そのスキャンデータに基づいて画質診断サーバ２００が画質診断処理を実行すべき旨の指示も記述される。
【００４０】
図２に戻り、Ｓ２１２では、画質診断サーバ２００によって指示書が送信されると、さらに、その指示書を実行開始させる旨を表示したスキャン指示画面が、画質診断サーバ２００から複合機１００に提供される。つまり、画質診断サーバ２００のＵＩ画面形成部２１０で形成されるスキャン指示画面データが複合機１００に提供され、そして、その指示画面データに対応した図３（Ｃ）のスキャン指示画面が複合機１００に表示される。
【００４１】
Ｓ２１４では、複合機１００に表示されるスキャン指示画面に従って、例えば複合機１００の管理者によって、印刷出力されたテストチャートが複合機１００のスキャナにセットされる。そして、指示書の実行開始を指示するスタートボタンが操作され、指示書に従った処理が実行される。Ｓ２１６では、指示書に従って、複合機１００が所定の診断用のモードでスキャン処理を実行し、スキャン処理によって得られたスキャンデータを画質診断サーバ２００へ送信する。
【００４２】
Ｓ２１８では、指示書に従って、画質診断サーバ２００がスキャンデータに基づいて複合機１００の画像処理機能の診断（画質診断）を実行する。つまり、画質診断サーバ２００の画質診断部２５０が、例えば、複合機１００へ送信したテストチャートデータとそのテストチャートデータから得られたスキャンデータとを比較することにより、複合機１００の印刷処理やスキャン処理の画像処理機能の診断を実行する。なお、診断内容の少なくとも一部を診断専門のオペレータ（人）に診断させてもよい。また、画質診断部２５０による診断結果は、診断結果管理部２６０によって管理される。例えば、ハードディスク内の記憶領域に診断結果が記憶される。
【００４３】
Ｓ２２０では、画質診断サーバ２００が複合機１００からの要求に応じて診断経過画面や診断結果画面を提供する。つまり、画質診断サーバ２００によって画質診断が実行されている最中であれば、ＵＩ画面形成部２１０で形成される診断経過画面データに対応した図３（Ｄ）の診断経過画面が複合機１００に表示される。なお、図３（Ｄ）の診断経過画面内には更新ボタンが形成されており、この更新ボタンが操作されるとＵＩ画面形成部２１０は最新の診断経過画面データを提供する。また、画質診断サーバ２００による画質診断が終了していれば、ＵＩ画面形成部２１０で形成される診断結果画面データに対応した図３（Ｅ）の診断結果画面が複合機１００に表示される。
【００４４】
診断結果画面には、図３（Ｅ）に示すように、例えば、診断項目ごとに診断結果が表示される。また、診断の結果として調整が必要である項目が発見され、その項目に関する調整を画質診断サーバ２００から行うことができる場合、診断結果画面には、自動調整が可能である旨も表示され、自動調整を実行する調整ボタンが形成される。
【００４５】
Ｓ２２２では、複合機１００に表示される診断結果画面が、例えば、その複合機１００の管理者によって確認され、そして、画像処理機能の自動調整が必要であれば、診断結果画面の調整ボタンが操作されて自動調整が指示される。
【００４６】
Ｓ２２４では、自動調整の指示を受けた画質診断サーバ２００が自動調整用の指示書を生成する。つまり、画質診断サーバ２００の指示書生成部２４０によって、調整が必要であると診断された複合機１００の画質調整パラメータについて、その画質調整パラメータを調整するための指示書が生成される。生成された指示書は複合機１００へ送信される。
【００４７】
Ｓ２２６では、複合機１００において自動調整用の指示書が実行開始され、指示書に従って複合機１００内の画質調整パラメータが変更されて画質が自動調整される。
【００４８】
以上のように、本実施形態のシステムにより、画質診断サーバ２００によって複合機１００の画質診断が行われ、また、診断の結果として調整が必要であれば自動調整が行われる。これにより、従来は保守作業者によって行われてきた画像処理機能の診断や調整の一部、望ましくは全てを、画質診断サーバ２００によって自動診断あるいは自動調整することが可能になる。
【００４９】
なお、本実施形態のシステムでは、過去の診断結果に基づいて複合機１００の装置状態に応じた画質診断が行われてもよい。つまり、テストチャート選択部２２０が、診断結果管理部２６０によって管理された過去の診断結果に基づいて、複合機１００の装置状態に応じたテストチャートデータを選択し、そのテストチャートデータに基づいた診断が実行されてもよい。
【００５０】
例えば、カラー画像処理機能を有する機種であり、カラー画像処理が頻繁に利用されてその処理機能に関する診断や調整が過去に多数行われた複合機１００に対しては、カラー画像処理の診断を重視したテストチャートが選択される。一方、同じカラー画像処理機能を有する同じ機種であっても、カラー画像処理は殆ど利用されず、カラー処理機能に関する診断や調整が過去に殆ど行われていない複合機１００に対しては、カラー画像処理よりも白黒画像処理の診断を重視したテストチャートが選択される。このように、過去の診断結果に基づいてテストチャートを選択することにより、その複合機１００の装置状態（設置場所や利用状況や劣化状態など）に応じて、その複合機１００に適した診断を行うことが可能になる。
【００５１】
以上、本発明の好適な実施形態を説明したが、上述した実施形態は、あらゆる点で単なる例示にすぎず、本発明の範囲を限定するものではない。
【図面の簡単な説明】
【００５２】
【図１】本発明に係る画像処理機能診断システムの全体構成図である。
【図２】画像処理機能の診断手順を示すフローチャートである。
【図３】複合機に表示される各種ＵＩ画面を示す図である。
【図４】指示書生成部によって生成される診断用指示書の一例を示す図である。
【符号の説明】
【００５３】
１００  複合機、２００  画質診断サーバ、２１０  ＵＩ画面形成部、２２０  テストチャート選択部、２３０  テストチャート管理部、２４０  指示書生成部、２５０  画質診断部、２６０  診断結果管理部。
【図１】
2007088664.tif 000003
【図２】
2007088664.tif 000004
【図３】
2007088664.tif 000005
【図４】
2007088664.tif 000006